(57)【特許請求の範囲】
【請求項１】
ＩＳＯ規格７８１０および７８１１に適合する標準カードを受け入れる寸法のカード入り口スロットと、該スロットの片面に設けられ、該スロットに挿入されるカードの磁気ストライプと一致する位置に配置された磁気検出器を含む開口部とを備え、前記磁気ストライプが前記磁気検出器に接触するとき信号を発するように構成されたカード検出器であって、
前記磁気検出器（１１８）に隣接して設けられ、カードが挿入された際に前記磁気検出器（１１８）とは逆方向へ付勢力を作用させるばね手段（１３４）を備え、
該ばね手段（１３４）が、前記標準カード（１３０）が挿入されたときは該標準カード（１３０）の厚みにより圧迫されて前記磁気検出器（１１８）側に移動し、前記標準カード（１３０）より厚みの薄い薄型カード（１４０）が挿入されたときは前記磁気検出器（１１８）と逆側に前記薄型カード（１４０）を付勢して前記磁気検出器（１１８）から遠ざけることによって、前記標準カード（１３０）の磁気ストライプ（１３２）のみ前記磁気検出器（１１８）に接触可能にすることを特徴とするカード検出器。
【請求項２】
プロセッサ（５８）と、入力手段（５４）と、表示手段（５２）と、支払手段（５６、６０）と、ＩＳＯ規格７８１０および７８１１に適合する標準カードを受け入れる寸法のカード入り口スロットと、該スロットの片面に設けられ該スロットに挿入されるカードの磁気ストライプと一致する位置に配置された磁気検出器を含む開口部を有するカード検出器とを備え、前記磁気ストライプが前記磁気検出器に接触するとき信号を発するように構成されたセルフサービス金融端末（５０）であって、
前記磁気検出器（１１８）に隣接して設けられ、カードが挿入された際に前記磁気検出器（１１８）とは逆方向へ付勢力を作用させるばね手段（１３４）を備え、
該ばね手段（１３４）が、前記標準カード（１３０）が挿入されたときは該標準カード（１３０）の厚みにより圧迫されて前記磁気検出器（１１８）側に移動し、前記標準カード（１３０）より厚みの薄い薄型カード（１４０）が挿入されたときは前記磁気検出器（１１８）と逆側に前記薄型カード（１４０）を付勢して前記プロセッサ（５８）に接続手段（１２６）を介して接続される前記磁気検出器（１１８）から遠ざけることによって、前記標準カード（１３０）の磁気ストライプ（１３２）のみ前記磁気検出器（１１８）に接触可能にし、
前記プロセッサ（５８）が、前記磁気検出器（１１８）からの信号を受信するとモータ（６２）を操作してシャッター（１２０）を開くよう配置されていることを特徴とする端末。
【発明の詳細な説明】
【０００１】
【発明の属する技術分野】
本発明は、磁気カード検出器に関し、特にカードの厚さを検出するように配置された検出器に関する。
【０００２】
【従来の技術、及び、発明が解決しようとする課題】
磁気カードは、ＩＳＯ規格７８１０および７８１１で規定されており、そこでは０．７６ｍｍである厚さを含むカードの寸法と、データを伝える磁気ストライプの位置が定められている。すべてのクレジット・カード、デビット・カードおよび銀行カードは世界中でこの規格に準拠している。カードは普通、半硬質のカードを提供する厚さ０．７６ｍｍのプラスチック材料製である。こうしたカードを本明細書では標準カードと呼ぶ。
【０００３】
標準カードの挿入によって動作する自動金銭受け払い機（ＡＴＭ）のようなセルフサービス端末は、カード入り口スロットの中に端末の内部を周囲環境や破壊から保護するためのシャッター機構を備えていることが多い。端末にはまた、カードのスロットへの挿入を検出し、端末を操作するプロセッサに信号を送るカード検出器を備えている。シャッターが開き、駆動機構がカードを端末の中に引き込んでカード読み書き装置の近くに置く。カードがカード読み書き装置のヘッドの上を円滑かつ正確に動くように、こうした駆動機構が非常に円滑に動作することが必要である。
【０００４】
こうしたカード検出器は、カードがスロットの中の指定された位置にあるときカード上の磁気ストライプの存在を検出することによって動作する。
【０００５】
別の種類のカードが広範に使用されるようになったが、これは紙製であることが多いがプラスチック材料製であることもある、テレフォンカードや公共交通機関の乗車券に使用されるカードである。こうしたカードは標準カードと同じ寸法であることが多く、標準カードと同じ位置に磁気ストライプを有することも多いが、もっと薄くて柔軟である。本明細書では、こうしたカードを薄型カードと呼ぶ。
【０００６】
薄型カードが誤りまたはいたずらや悪意のために、標準カードと共に動作するよう設計されたセルフサービス端末のカード・スロットに挿入されることがある。すると現在入手可能なカード検出器はカード上の磁気ストライプを検出することによって動作するので、シャッターが開き駆動システムが薄型カードを端末内に引き込んでしまう。駆動システムはもっと厚い標準カードの厚さで動作するよう設計されているので、薄型カードをつかむことができず、薄型カードは端末から除去されることも不要物容器に移されることもない。従って端末には薄型カードが詰まってしまい、端末は修理技師が現場を訪れて詰まりを取り除くまで使用できなくなる。これは、端末を管理する金融機関にとって不便で高価である。
【０００７】
本発明の目的は、薄型カードでは動作しない、簡単な構造を有する標準カード用カード検出装置を提供することである。
【０００８】
【課題を解決するための手段】
本発明によれば、ＩＳＯ規格７８１０および７８１１に適合する標準カードを受け入れる寸法のカード入り口スロットと、このスロットの片面に設けられ、このスロットに挿入されるカードの磁気ストライプと一致する位置に配置された磁気検出器を含む開口部とを備え、前記磁気ストライプが前記磁気検出器に接触するとき信号を発するように構成されたカード検出器であって、前記磁気検出器に隣接して設けられ、カードが挿入された際に前記磁気検出器とは逆方向へ付勢力を作用させるばね手段を備え、そのばね手段が、前記標準カードが挿入されたときはその標準カードの厚みにより圧迫されて前記磁気検出器側に移動し、前記標準カードより厚みの薄い薄型カードが挿入されたときは前記磁気検出器と逆側に前記薄型カードを付勢して前記磁気検出器から遠ざけることによって、前記標準カードの磁気ストライプのみ前記磁気検出器に接触可能にすることを特徴とするカード検出器が提供される。
【０００９】
また、本発明によれば、プロセッサと、入力手段と、表示手段と、支払手段と、ＩＳＯ規格７８１０および７８１１に適合する標準カードを受け入れる寸法のカード入り口スロットと、該スロットの片面に設けられ該スロットに挿入されるカードの磁気ストライプと一致する位置に配置された磁気検出器を含む開口部を有するカード検出器とを備え、前記磁気ストライプが前記磁気検出器に接触するとき信号を発するように構成されたセルフサービス金融端末であって、前記磁気検出器に隣接して設けられ、カードが挿入された際に前記磁気検出器とは逆方向へ付勢力を作用させるばね手段を備え、このばね手段が、前記標準カードが挿入されたときはこの標準カードの厚みにより圧迫されて前記磁気検出器側に移動し、前記標準カードより厚みの薄い薄型カードが挿入されたときは前記磁気検出器と逆側に前記薄型カードを付勢して前記プロセッサに接続手段を介して接続される前記磁気検出器から遠ざけることによって、前記標準カードの磁気ストライプのみ前記磁気検出器に接触可能にし、前記プロセッサが、前記磁気検出器からの信号を受信するとモータを操作してシャッターを開くよう配置されていることを特徴とする端末が提供される。
【００１０】
【発明の実施の形態】
図１に示す既知の装置では、ＡＴＭ用カード検出器は、水平に置かれ、上面と下面１２、１４を有する入り口スロット１０を含む。下面１４には柔軟な懸架装置（図示せず）によってくぼみ１６内に支持された磁気検出器１８を含むくぼみ１６がある。くぼみ１６の奥で、スロット１０は垂直に動作するシャッター２０によって閉じられる。
【００１１】
磁気検出器１８はスロットの下面１４からわずかに突き出しており、上面１２には検出器１８と整合する位置に突起２２がある。検出器は、略図で描かれたコネクタ２６によって監視回路（図示せず）に接続されている。
【００１２】
図１（ａ）を参照すると、スロット１０にはスロットに縦に挿入された標準カードの縁を検出するよう配置された２つの幅スイッチ２４が備えられている。
【００１３】
図２はスロット１０の中の標準カード３０を示す。スロットの上面および下面１２、１４の間の距離はカード３０の厚さよりわずかに大きく、カードは突起２２に当たってくぼみ１６内の柔軟に支持された磁気検出器１８を下向きに圧迫し、磁気検出器１８とカード３０の磁気ストライプ３２との良好な接触を確保する。検出器１８は接続２６を経由して監視回路に信号を供給する。２つの幅スイッチ２４もカード３０が正しい幅であることを示すならば、ＡＴＭを操作するプロセッサはシャッター２０を開き、カード３０がＡＴＭに入るようにする。
【００１４】
図３では、図１および図２と同一の部品に１００多い数字が与えられる。さらに、くぼみ１１６内に置かれ、磁気検出器１１８の上でスロット１１０の中にかなりの距離だけ突出した一組の逆Ｕ形ばね１３４が備えられている。図３（ａ）および図３（ｂ）を参照すると明らかになるが、ばね１３４は、スロット１１０に入るカードが両方のばね上部の湾曲した部分に当たるように、検出器１１８の両側に置かれている。
【００１５】
図４は、標準カード１３０によるカード検出器の動作を示す。こうしたカードがスロット１１０に挿入されると、カードは突起１２２に当たって逆Ｕ形ばね１３４をくぼみ１１６の中に圧迫し、慣用装置の場合と同様に磁気検出器１１８をカードの磁気ストライプ１３２に接触させる。
【００１６】
検出器１１８は出力信号を供給し、シャッター１２０が開く。
【００１７】
図５は、本発明の装置がどのように薄型カードを標準カードと区別するかを示す。薄型カード１４０は、スロット１１０に挿入されても、Ｕ形ばね１３４をくぼみ１１６の中に十分に圧迫するだけの厚さがないので、カードの磁気ストライプ１４２は検出器１１８に接触しない。検出器１１８はカードの存在を表示しないので、シャッター１２０は開かない。従って薄型カード１４０がＡＴＭに詰まることが防止される。
【００１８】
図６は、表示スクリーン５２、入力キーパッド５４および現金支払いスロット５６を有するＡＴＭ５０を示す。ＡＴＭは本発明によるカード検出器１１０をも有する。
【００１９】
図７はＡＴＭ５０の制御システムを示す。プロセッサ５８は入力装置５４から信号を受信し、適切な信号を表示装置５２に供給し、支払手段６０によって現金を支払いスロット５６に払い出す。プロセッサ５８はまた磁気検出器１１８から信号を受信し、モータ６２を操作してシャッター１２０を開く。
【図面の簡単な説明】
【図１】それぞれ既知の種類のＡＴＭ用カード検出器の端部断面図と側断面図を示す。
【図２】標準カードによる動作を示す検出器の側断面図である。
【図３】それぞれ本発明によるカード検出器の端部と側面との断面図を示す。
【図４】標準カードによる動作を示す検出器の側断面図である。
【図５】薄型カードによっては動作しないことを示す検出器の側断面図である。
【図６】本発明によって構成されたカード検出器を具体化する自動金銭受け払い機（ＡＴＭ）の斜視図である。
【図７】図６のＡＴＭの制御システムのブロック図である。
【図１】
0004307579.tif 000002
【図２】
0004307579.tif 000003
【図３】
0004307579.tif 000004
【図４】
0004307579.tif 000005
【図５】
0004307579.tif 000006
【図６】
0004307579.tif 000007
【図７】
0004307579.tif 000008